(57)【特許請求の範囲】
【請求項１】
細隙を隔てて対設される環状濾過プレートと環状可動プレートとで一組の濾過素子となし、該濾過素子の多数組を互に細隙を隔てて積層状に配列させることにより上記各細隙を分離水流出溝とする筒状の濾過体に形成し、該濾過体の始端開口部を汚泥原水の送り込み口とし終端開口部を脱水ケーキの送り出し口とするスクリュー式濾過脱水装置において、スクリューブレードの外径が環状可動プレートの内径よりも大きく環状濾過プレートの内径よりは小さく形成されたスクリューコンベアを前記濾過体の中心孔に嵌装し、環状濾過プレートの外周には、環状可動プレートの外径よりも小径に下端を底辺状に形成された縁部と、環状可動プレートの外径よりも大径に形成された座部とを隔在させ、環状濾過プレートの座部は環状可動プレートと非接触状態に設けられた固定体に支承させ、環状濾過プレートの縁部からは環状可動プレートの外周の一部が常時外方へ突出させ、スクリューコンベアの駆動時にはスクリューブレードの外周縁が各環状可動プレートの内周縁へ斜交状に摺接して各環状可動プレートを偏心状に揺振させて、上記縁部からの環状可動プレートの外周突出量を増減させるよう構成したことを特徴とする、スクリュー式濾過脱水装置。
【発明の詳細な説明】
【０００１】
【発明の技術分野】
本発明は、オキシデーションディッチ法等に代表される比較的小規模の下水処理作業において発生する懸濁微粒子を含む懸濁液を、濃縮工程を経由しない低濃度の状態により直接濾過処理し、濾液と懸濁微粒子とに分離するためのスクリュー式濾過脱水装置に関するものである。
【０００２】
【従来技術とその問題点】
細隙を隔てて対設される環状濾過プレートと環状可動プレートとで一組の濾過素子となし、該濾過素子の多数組を互に細隙を隔てて積層状に配列させることにより上記各細隙を分離水流出溝とする筒状の濾過体に形成し、該濾過体の中心孔にスクリューコンベアを嵌装し、該濾過体の始端開口部を汚泥原水の送り込み口としてその上方に汚泥原水の供給槽を設け、濾過体の終端開口部を脱水ケーキの送り出し口とするスクリュー式濾過脱水装置は公知である。
【０００３】
しかし従来のスクリュー式濾過脱水装置では、図５に示すよう、環状濾過プレート１０２の外径全周が環状可動プレート１0３の外径よりも大径につくらて、環状可動プレート１０３が偏心運動をしても、その外縁は常に環状濾過プレート１0２の外縁内におさまって外方へ突出することがない。
【０００４】
このような従来の構造では、単に環状濾過プレート１０２と環状可動プレート１０３との摺接範囲が狭くて脱水効率が低いということだけでなく、表面張力の作用によって図６に示すよう、環状濾過プレート１０２，１０２間の外端部に大きな水滴Ｐが形成され、その水滴Ｐが分離水流出溝１０６，１０６を封水して、分離水の流出を阻害する。特に低含水の汚泥の場合はその現象が顕著に現れ、濾過脱水の機能が損われることになる。また、上述の大きな水滴Ｐを壊して分離水の流出を可能とするためには大きな排水力（排水量或いは排水圧）が必要となる。
【０００５】
【発明の目的】
本発明の目的は、低含水の汚泥など分離水量が少ない場合においても脱水効率を高め、且つ環状濾過プレート間の外端部に生じる水滴を細分してその破壊が容易となり、有効に機能するスクリュー式濾過脱水装置を提供することにある。
【０００６】
【発明の構成】
本発明に係るスクリュー式濾過脱水装置においては、細隙を隔てて対設される環状濾過プレートと環状可動プレートとで一組の濾過素子となし、該濾過素子の多数組を互に細隙を隔てて積層状に配列させることにより上記各細隙を分離水流出溝とする筒状の濾過体に形成し、該濾過体の始端開口部を汚泥原水の送り込み口とし終端開口部を脱水ケーキの送り出し口とするスクリュー式濾過脱水装置において、スクリューブレードの外径が環状可動プレートの内径よりも大きく環状濾過プレートの内径よりは小さく形成されたスクリューコンベアを前記濾過体の中心孔に嵌装し、環状濾過プレートの外周には、環状可動プレートの外径よりも小径に下端を底辺状に形成された縁部と、環状可動プレートの外径よりも大径に形成された座部とを隔在させ、環状濾過プレートの座部は環状可動プレートと非接触状態に設けられた固定体に支承させ、環状濾過プレートの縁部からは環状可動プレートの外周の一部が常時外方へ突出させ、スクリューコンベアの駆動時にはスクリューブレードの外周縁が各環状可動プレートの内周縁へ斜交状に摺接して各環状可動プレートを偏心状に揺振させて、上記縁部からの環状可動プレートの外周突出量を増減させるよう構成した。
【０００７】
【実施例】
以下実施例の図１ないし図４により説明をする。
【０００８】
１は環状濾過プレート２と環状可動プレート３を細隙を隔てて対設させてなる一組の濾過素子であり、環状濾過プレート２の外周には、環状可動プレート３の外径よりも小径に下端を底辺状に形成された縁部２ａと、環状可動プレート３の外径よりも大径に形成された座部２ｂとが隔在する。そして上記濾過素子１の多数組をスペーサ４・・４により互に細隙を隔てて積層状に配列させ、各環状濾過プレート２・・２の座部２ｂ・・２ｂを各環状可動プレート３・・３と非接触状態に架設された樋状或いは枠状等の固定体５により支承させて、前記各細隙を分離水流出溝６・・６とする筒状の濾過体７に形成する。
【０００９】
濾過体７の始端開口部は汚泥原水の送り込み口８となり終端開口部は脱水ケーキの送り出し口９となり、中心孔１０にはスクリューコンベア１１を嵌装し、スクリューコンベア１１の出口端には吐出圧調整弁１４が付設され、スクリューブレード１１Ｒの外径が環状濾過プレート２の内径よりも小径で、環状可動プレート３の内径よりも大きく形成され、濾過体７の中心孔１０におけるスクリューコンベア１１の駆動時にスクリューブレード１１Ｒの前縁が環状可動プレート３・・３の内周部へ斜交状に摺接することで、該環状可動プレート３・・３を偏心状に揺振させて縁部２ａ・・２ａからの突出量を増減させるのである。このようにして環状濾過プレート２・・２の縁部２ａ・・２ａからは環状可動プレート３・・３の外周の一部が常時突出するように構成される。
【００１０】
【発明の効果】
本発明スクリュー式濾過脱水装置によれば、環状可動プレート３の外周の一部が環状濾過プレート２の縁部２ａから常時突出した状態で揺振して、環状濾過プレート２と環状可動プレート３との摺接の範囲が大きくなるよう構成されているため、従来よりも脱水効率が高められる。また、環状濾過プレート２，２間の外端部に形成されようとする水滴は、環状可動プレート３の介入により小さな水滴に二分され、その破壊が容易となって小さな排水力（排水量或いは排水圧）で足り、低含水の汚泥の場合においても高脱水効果が得られるという利点がある。
【図面の簡単な説明】
【図１】  本発明の実施対象となるスクリュー式濾過脱水装置の構成を略示した縦断側面図である。
【図２】  本発明に係るスクリュー式濾過脱水装置の要部縦断側面図である。
【図３】  本発明スクリュー式濾過脱水装置における濾過素子の正面図である。
【図４】  本発明スクリュー式濾過脱水装置における濾過素子の縦断側面図である。
【図５】  従来のスクリュー式濾過脱水装置における濾過素子の正面図である。
【図６】  従来のスクリュー式濾過脱水装置における濾過素子の縦断側面図である。
【符号の説明】
１      濾過素子
２      環状濾過プレート
２ａ    縁部
２ｂ    座部
３      環状可動プレート
５      固定体
６      分離水流出溝
７      濾過体
８      送り込み口
９      送り出し口
１０      中心孔
１１      スクリューコンベア
１１R    スクリューブレード
【図１】
0003808374.tif 000002
【図２】
0003808374.tif 000003
【図３】
0003808374.tif 000004
【図４】
0003808374.tif 000005
【図５】
0003808374.tif 000006
【図６】
0003808374.tif 000007